(57)【要約】【課題】運動器具をスイングする動作の上達に役立つ情報を使用者に提供できる、情報提供方法、情報提供装置、情報提供システム及び情報提供プログラムを提供すること。【解決手段】使用者の身体特徴に関する情報である第１身体特徴情報を取得する身体特徴情報取得工程と、前記使用者が運動器具をスイングする動作を検出する検出装置から、前記使用者の前記スイングに関する情報である第１スイング情報を取得するスイング情報取得工程と、他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する抽出工程と、抽出された前記他者情報を出力する出力工程と、を含む。【選択図】図４
2015188609.tif 000002
【特許請求の範囲】
【請求項１】
使用者の身体特徴に関する情報である第１身体特徴情報を取得する身体特徴情報取得工程と、
前記使用者が運動器具をスイングする動作を検出する検出装置から、前記使用者の前記スイングに関する情報である第１スイング情報を取得するスイング情報取得工程と、
他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する抽出工程と、
抽出された前記他者情報を出力する出力工程と、
を含む、情報提供方法。
【請求項２】
請求項１に記載の情報提供方法において、
前記抽出工程では、前記第１身体特徴情報と前記第２身体特徴情報との類似度に基づいて、前記他者情報を抽出する、情報提供方法。
【請求項３】
請求項１又は２に記載の情報提供方法において、
前記第１スイング情報に基づいて、前記スイングに関する指標を演算する演算工程をさらに含む、情報提供方法。
【請求項４】
請求項３に記載の情報提供方法において、
前記演算工程では、複数種類の前記指標を演算し、前記指標のうち少なくとも１つを選択する指標選択情報を取得し、
前記抽出工程では、前記指標選択情報に基づいて、前記他者情報を抽出する、情報提供方法。
【請求項５】
請求項１ないし４のいずれか１項に記載の情報提供方法において、
前記使用者のスイングの技量に関する情報である第１技量情報を取得する技量情報取得工程をさらに含み、
前記他者情報は、前記他の使用者のスイングの技量に関する情報である第２技量情報をさらに含み、
前記抽出工程では、前記第１技量情報に基づいて、前記他者情報を抽出する、情報提供方法。
【請求項６】
請求項１ないし５のいずれか１項に記載の情報提供方法において、
前記使用者が使用した前記運動器具に関する情報である第１運動器具情報を取得する運動器具情報取得工程をさらに含み、
前記他者情報は、前記他の使用者が使用した運動器具に関する情報である運動器具情報をさらに含み、
前記抽出工程では、前記第１運動器具情報に基づいて、前記他者情報を抽出する、情報提供方法。
【請求項７】
使用者の身体特徴に関する情報である第１身体特徴情報を取得する身体特徴情報取得部と、
前記使用者が運動器具をスイングする動作を検出する検出装置から、前記使用者の前記スイングに関する情報である第１スイング情報を取得するスイング情報取得部と、
他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を
抽出する抽出部と、
抽出された前記他者情報を出力する出力部と、
を含む、情報提供装置。
【請求項８】
請求項７に記載の情報提供装置と、
前記検出装置と、
を含む、情報提供システム。
【請求項９】
使用者の身体特徴に関する情報である第１身体特徴情報を取得する手順と、
前記使用者が運動器具をスイングする動作を検出する検出装置から、前記使用者の前記スイングに関する情報である第１スイング情報を取得する手順と、
他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する手順と、
抽出された前記他者情報を出力する手順と、
をコンピューターに実行させる、情報提供プログラム。
【発明の詳細な説明】
【技術分野】
【０００１】
本発明は、情報提供方法、情報提供装置、情報提供システム及び情報提供プログラムに関する。
【背景技術】
【０００２】
ゴルフ、テニス、卓球、野球、ソフトボールなど、運動器具をスイングする動作を含む様々なスポーツがある。これらのスポーツの上達のためには、運動器具の理想的なスイングを身に付けることが、重要な要素の１つと考えられている。
【０００３】
特許文献１には、クライアント装置とサーバー装置が通信可能に接続されており、クライアント装置からのリクエストに応じて、ゴルフスイングのレッスンデータをサーバー装置がクライアント装置に送信するゴルフスイングレッスンシステムが開示されている。
【先行技術文献】
【特許文献】
【０００４】
【特許文献１】特開２００１−２９６７９９号公報
【発明の概要】
【発明が解決しようとする課題】
【０００５】
使用者は、自分のスイングと他者のスイングとを比較して、スイングの上達の参考としたい場合がある。特許文献１のゴルフスイングレッスンシステムでは、インストラクターのスイングに関する情報を得ることはできるが、身体特徴や技量の差が大きい場合には、参考にすることが難しい場合も多かった。
【０００６】
本発明は、以上のような技術的課題に鑑みてなされたものである。本発明のいくつかの態様によれば、運動器具をスイングする動作の上達に役立つ情報を使用者に提供できる、情報提供方法、情報提供装置、情報提供システム及び情報提供プログラムを提供することができる。
【課題を解決するための手段】
【０００７】
本発明は前述の課題の少なくとも一部を解決するためになされたものであり、以下の態様又は適用例として実現することが可能である。
【０００８】
［適用例１］
本実施形態に係る情報提供方法は、使用者の身体特徴に関する情報である第１身体特徴情報を取得する身体特徴情報取得工程と、前記使用者が運動器具をスイングする動作を検出する検出装置から、前記使用者の前記スイングに関する情報である第１スイング情報を取得するスイング情報取得工程と、他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する抽出工程と、抽出された前記他者情報を出力する出力工程と、を含む、情報提供方法である。
【０００９】
運動器具は、例えば、ゴルフクラブ、テニスラケット、卓球ラケット、野球のバット、ソフトボールのバット、ホッケーのスティック等の打球に用いられる器具である。
【００１０】
本適用例によれば、使用者の身体特徴に関する情報である第１身体特徴情報と、使用者
のスイングに関する情報である第１スイング情報とに基づいて他者情報を抽出するので、運動器具をスイングする動作の上達に役立つ情報を使用者に提供できる情報提供方法を実現できる。
【００１１】
［適用例２］
上述の情報提供方法において、前記抽出工程では、前記第１身体特徴情報と前記第２身体特徴情報との類似度に基づいて、前記他者情報を抽出してもよい。
【００１２】
本適用例によれば、使用者の身体特徴に関する情報である第１身体特徴情報と、他の使用者の身体特徴に関する情報である第２身体特徴情報との類似度に基づいて他者情報を抽出するので、例えば、使用者の身体特徴に類似する他の使用者の情報を抽出できる。したがって、運動器具をスイングする動作の上達に役立つ情報を使用者に提供できる情報提供方法を実現できる。
【００１３】
［適用例３］
上述の情報提供方法において、前記第１スイング情報に基づいて、前記スイングに関する指標を演算する演算工程をさらに含んでもよい。
【００１４】
本適用例によれば、使用者のスイングに関する指標を、使用者に提供できる。したがって、運動器具をスイングする動作の上達に役立つ情報を使用者に提供できる情報提供方法を実現できる。
【００１５】
［適用例４］
上述の情報提供方法において、前記演算工程では、複数種類の前記指標を演算し、前記指標のうち少なくとも１つを選択する指標選択情報を取得し、前記抽出工程では、前記指標選択情報に基づいて、前記他者情報を抽出してもよい。
【００１６】
本適用例によれば、指標のうち少なくとも１つを選択する指標選択情報に基づいて他者情報を抽出するので、例えば、使用者が注目したい指標に応じて情報を抽出できる。したがって、運動器具をスイングする動作の上達に役立つ情報を使用者に提供できる情報提供方法を実現できる。
【００１７】
［適用例５］
上述の情報提供方法において、前記使用者のスイングの技量に関する情報である第１技量情報を取得する技量情報取得工程をさらに含み、前記他者情報は、前記他の使用者のスイングの技量に関する情報である第２技量情報をさらに含み、前記抽出工程では、前記第１技量情報に基づいて、前記他者情報を抽出してもよい。
【００１８】
本適用例によれば、使用者のスイングの技量に関する情報である第１技量情報に基づいて他者情報を抽出するので、例えば、使用者のスイングの技量に近い他の使用者の情報を抽出できる。したがって、運動器具をスイングする動作の上達に役立つ情報を使用者に提供できる情報提供方法を実現できる。
【００１９】
［適用例６］
上述の情報提供方法において、前記使用者が使用した前記運動器具に関する情報である第１運動器具情報を取得する運動器具情報取得工程をさらに含み、前記他者情報は、前記他の使用者が使用した運動器具に関する情報である運動器具情報をさらに含み、前記抽出工程では、前記第１運動器具情報に基づいて、前記他者情報を抽出してもよい。
【００２０】
本適用例によれば、使用者が使用した運動器具に関する情報である第１運動器具情報に
基づいて他者情報を抽出するので、例えば、運動器具に応じた情報を抽出できる。したがって、運動器具をスイングする動作の上達に役立つ情報を使用者に提供できる情報提供方法を実現できる。
【００２１】
［適用例７］
本実施形態に係る情報提供装置は、使用者の身体特徴に関する情報である第１身体特徴情報を取得する身体特徴情報取得部と、前記使用者が運動器具をスイングする動作を検出する検出装置から、前記使用者の前記スイングに関する情報である第１スイング情報を取得するスイング情報取得部と、他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する抽出部と、抽出された前記他者情報を出力する出力部と、を含む、情報提供装置である。
【００２２】
本適用例によれば、使用者の身体特徴に関する情報である第１身体特徴情報と、使用者のスイングに関する情報である第１スイング情報とに基づいて他者情報を抽出するので、運動器具をスイングする動作の上達に役立つ情報を使用者に提供できる情報提供装置を実現できる。
【００２３】
［適用例８］
本実施形態に係る情報提供システムは、上述の情報提供装置と、前記検出装置と、を含む、情報提供システムである。
【００２４】
本適用例によれば、使用者の身体特徴に関する情報である第１身体特徴情報と、使用者のスイングに関する情報である第１スイング情報とに基づいて他者情報を抽出する情報提供装置を含んでいるので、運動器具をスイングする動作の上達に役立つ情報を使用者に提供できる情報提供システムを実現できる。
【００２５】
［適用例９］
本実施形態に係る情報提供プログラムは、使用者の身体特徴に関する情報である第１身体特徴情報を取得する手順と、前記使用者が運動器具をスイングする動作を検出する検出装置から、前記使用者の前記スイングに関する情報である第１スイング情報を取得する手順と、他の使用者の身体特徴に関する情報である第２身体特徴情報、及び、前記他の使用者のスイングに関する情報である第２スイング情報が関連付けられた他者情報を記憶する記憶装置から、前記第１身体特徴情報と前記第１スイング情報とに基づいて、前記他者情報を抽出する手順と、抽出された前記他者情報を出力する手順と、をコンピューターに実行させる、情報提供プログラムである。
【００２６】
本適用例によれば、使用者の身体特徴に関する情報である第１身体特徴情報と、使用者のスイングに関する情報である第１スイング情報とに基づいて他者情報を抽出するので、運動器具をスイングする動作の上達に役立つ情報を使用者に提供できる情報提供プログラムを実現できる。
【図面の簡単な説明】
【００２７】
【図１】本実施形態の情報システム０００の概要について説明するための図である。
【図２】検出装置１の装着位置及び向きの一例を示す図である。
【図３】本実施形態に係る情報提供システム１０００の構成例を示すブロック図である。
【図４】本実施形態に係る情報提供方法の概要を示すフローチャートである。
【図５】記憶装置３１０に格納される他者情報の例を示す表である。
【図６】抽出された他者情報の表示例を示す図である。
【発明を実施するための形態】
【００２８】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２９】
以下では、ゴルフクラブ（運動器具の一例）をスイングする動作を例に挙げて説明する。
【００３０】
１．情報提供装置、情報提供システム及び情報提供プログラム
１−１．情報提供システムの概要
図１は、本実施形態の情報提供システム１０００の概要について説明するための図である。本実施形態の情報提供システム１０００は、検出装置１、情報提供装置２及び情報提供サーバー３を含んで構成されている。
【００３１】
検出装置１は、使用者２００１がゴルフクラブ２００２（運動器具の一例）をスイングする動作を検出する。
【００３２】
図２は、検出装置１の装着位置及び向きの一例を示す図である。検出装置１は、３軸の各軸方向に生じる加速度と３軸の各軸回りに生じる角速度を計測可能であり、ゴルフクラブ２００２に装着される。
【００３３】
本実施形態では、図２に示されるように、検出装置１は、３つの検出軸（ｘ軸、ｙ軸、ｚ軸）のうちの１軸、例えばｙ軸をシャフトの長軸方向に合わせて、ゴルフクラブ２００２のシャフトの一部に取り付けられる。望ましくは、検出装置１は、打球時の衝撃が伝わりにくく、スイング時に遠心力がかからないグリップ部に近い位置に取り付けられる。シャフトは、ゴルフクラブ２００２のヘッドを除いた柄の部分であり、グリップ部も含まれる。
【００３４】
使用者２００１は、あらかじめ決められた手順に従って、ゴルフボール２００３を打球するスイング動作を行う。
【００３５】
情報提供装置２は、検出装置１が検出したデータを用いて、使用者２００１がゴルフクラブ２００２（運動器具）をスイングする動作に関する種々の演算を行う。また、情報提供装置２は、演算結果に基づいて、情報提供サーバー３からデータを抽出して出力する。
【００３６】
情報提供サーバー３は、複数の他の使用者の他者情報（後述）を格納する記憶装置３１０（後述）を含んで構成されている。
【００３７】
なお、情報提供装置２と検出装置１との間の通信は、無線通信でもよいし、有線通信でもよい。また、情報提供装置２と情報提供サーバー３との間の通信は、無線通信でもよいし、有線通信でもよい。
【００３８】
１−２．情報提供システムの構成
図３は、本実施形態に係る情報提供システム１０００の構成例を示すブロック図である。
【００３９】
本実施形態に係る検出装置１は、検出部１１０、処理部１２０及び通信部１３０を含ん
で構成されている。
【００４０】
検出部１１０は、例えば、慣性センサーを含んで構成されていてもよい。慣性センサーは、慣性を利用して物理量又は物理現象など（加速度、傾斜角、衝撃、振動、回転など）を検出するセンサーである。慣性センサーとしては、例えば、加速度センサーや角速度センサーなどを採用することができる。本実施形態においては、検出部１１０は、加速度センサー１１１及び角速度センサー１１２を含んで構成されている。
【００４１】
加速度センサー１１１は、互いに交差する（理想的には直交する）３軸方向の各々に生じる加速度を計測し、計測した３軸加速度の大きさ及び向きに応じたデジタル信号（加速度データ）を出力する。
【００４２】
角速度センサー１１２は、互いに交差する（理想的には直交する）３軸の各々の軸回りに生じる角速度を計測し、計測した３軸角速度の大きさ及び向きに応じたデジタル信号（角速度データ）を出力する。
【００４３】
処理部１２０は、加速度センサー１１１と角速度センサー１１２から、それぞれ加速度データと角速度データを受け取って時刻情報を付して不図示の記憶部に記憶し、記憶した計測データ（加速度データと角速度データ）に時刻情報を付して通信用のフォーマットに合わせたパケットデータを生成し、通信部１３０に出力する。
【００４４】
加速度センサー１１１及び角速度センサー１１２は、それぞれ３軸が、検出装置１に対して定義される直交座標系（センサー座標系）の３軸（ｘ軸、ｙ軸、ｚ軸）と一致するように検出装置１に取り付けられるのが理想的だが、実際には取り付け角の誤差が生じる。そこで、処理部１２０は、取り付け角誤差に応じてあらかじめ算出された補正パラメーターを用いて、加速度データ及び角速度データをｘｙｚ座標系のデータに変換する処理を行う。
【００４５】
さらに、処理部１２０は、加速度センサー１１１及び角速度センサー１１２の温度補正処理を行う。なお、加速度センサー１１１及び角速度センサー１１２に温度補正の機能が組み込まれていてもよい。
【００４６】
なお、加速度センサー１１１と角速度センサー１１２は、アナログ信号を出力するものであってもよく、この場合は、処理部１２０が、加速度センサー１１１の出力信号と角速度センサー１１２の出力信号をそれぞれＡ／Ｄ変換して計測データ（加速度データと角速度データ）を生成し、これらを用いて通信用のパケットデータを生成すればよい。
【００４７】
通信部１３０は、処理部１２０から受け取ったパケットデータを、使用者２００１が運動器具（ゴルフクラブ２００２）をスイングするスイングに関する情報である運動情報として、情報提供装置２に送信する処理や、情報提供装置２から制御コマンドを受信して処理部１２０に送る処理等を行う。処理部１２０は、制御コマンドに応じた各種処理を行う。
【００４８】
本実施形態に係る情報提供装置２は、処理部２００、通信部２１０、通信部２２０、操作部２３０、ＲＯＭ２４０、ＲＡＭ２５０、記憶媒体２６０、表示部２７０、音出力部２８０を含んで構成されており、例えば、パーソナルコンピューター（ＰＣ）やスマートフォンなどの携帯機器であってもよい。
【００４９】
通信部２１０は、検出装置１から送信されたパケットデータを受信し、処理部２００に送る処理や、処理部２００からの制御コマンドを検出装置１に送信する処理等を行う。
【００５０】
通信部２２０は、情報提供サーバー３から送信されたパケットデータを受信し、処理部２００に送る処理や、処理部２００からの制御コマンドを情報提供サーバー３に送信する処理等を行う。
【００５１】
操作部２３０は、ユーザーからの操作データを取得し、処理部２００に送る処理を行う。操作部２３０は、例えば、タッチパネル型ディスプレイ、ボタン、キー、マイクなどであってもよい。
【００５２】
ＲＯＭ２４０は、処理部２００が各種の計算処理や制御処理を行うためのプログラムや、アプリケーション機能を実現するための各種プログラムやデータ等を記憶している。
【００５３】
ＲＡＭ２５０は、処理部２００の作業領域として用いられ、ＲＯＭ２４０から読み出されたプログラムやデータ、操作部２３０から入力されたデータ、処理部２００が各種プログラムに従って実行した演算結果等を一時的に記憶する記憶部である。
【００５４】
記憶媒体２６０は、処理部２００の処理により生成されたデータのうち、長期的な保存が必要なデータを記憶する不揮発性の記憶部である。また、記憶媒体２６０は、処理部２００が各種の計算処理や制御処理を行うためのプログラムや、アプリケーション機能を実現するための各種プログラムやデータ等を記憶していてもよい。
【００５５】
表示部２７０は、処理部２００の処理結果を文字、グラフ、表、アニメーション、その他の画像として表示するものである。表示部２７０は、例えば、ＣＲＴ、ＬＣＤ、タッチパネル型ディスプレイ、ＨＭＤ（ヘッドマウントディスプレイ）などであってもよい。なお、１つのタッチパネル型ディスプレイで操作部２３０と表示部２７０の機能を実現するようにしてもよい。
【００５６】
音出力部２８０は、処理部２００の処理結果を音声やブザー音等の音として出力するものである。音出力部２８０は、例えば、スピーカーやブザーなどであってもよい。
【００５７】
処理部２００は、ＲＯＭ２４０あるいは記憶媒体２６０に記憶されているプログラム、あるいはネットワークを介してサーバーから受信してＲＡＭ２５０や記憶媒体２６０に記憶したプログラムに従って、検出装置１及び情報提供サーバー３に制御コマンドを送信する処理や、検出装置１から通信部２１０を介して受信したデータに対する各種の計算処理や、情報提供サーバー３から通信部２２０を介して受信したデータに対する各種の計算処理や、その他の各種の制御処理を行う。
【００５８】
特に、本実施形態では、処理部２００は、当該プログラム（情報提供プログラム）を実行することにより、身体特徴情報取得部１０、スイング情報取得部２０、演算部３０、抽出部４０、出力部５０、技量情報取得部７０及び運動器具情報取得部８０として機能する。情報提供プログラムは、身体特徴情報取得部１０、スイング情報取得部２０、演算部３０、抽出部４０、出力部５０、技量情報取得部７０及び運動器具情報取得部８０の少なくともいずれかで行われる手順をコンピューターに実行させるプログラムとして実現されていてもよい。
【００５９】
身体特徴情報取得部１０は、使用者２００１の身体特徴に関する情報である第１身体特徴情報を取得する。身体特徴情報取得部１０は、例えば、操作部２３０から第１身体特徴情報を取得してもよいし、ＲＡＭ２５０又は記憶媒体２６０から第１身体特徴情報を取得してもよい。第１身体特徴情報としては、例えば、使用者２００１の性別、身長、体重、年齢、出身国、ゴルフ歴などを採用できる。
【００６０】
スイング情報取得部２０は、使用者２００１が運動器具（ゴルフクラブ２００２）をスイングする動作（以下では、単に「スイング」と記載する場合がある。）を検出する検出装置１から、使用者のスイングに関する情報である第１スイング情報を取得する。本実施形態においては、スイング情報取得部２０は、通信部２１０を介して検出装置１から第１スイング情報を取得する。
【００６１】
演算部３０は、スイング情報取得部２０が取得した第１スイング情報に基づいて、使用者２００１のスイングに関する指標を演算する。スイングに関する指標としては、例えば、スイング期間中のヘッド速度の最大値、スイング期間中のグリップ速度の最大値、インパクトのタイミングを基準としたグリップ速度が最大値を取るタイミング（グリップ減速タイミング）、スイング期間中のシャフト軸の回転角の変化量（シャフトローテーション）などを採用できる。
【００６２】
本実施形態によれば、使用者のスイングに関する指標を、使用者に提供できる。したがって、運動器具をスイングする動作の上達に役立つ情報を使用者に提供できる情報提供装置２を実現できる。
【００６３】
演算部３０は、複数種類の指標を演算してもよい。また、演算部３０は、複数回のスイングに対応する第１スイング情報を統計処理（例えば、平均処理）して演算を行ってもよい。演算部３０は、演算する指標のうち少なくとも１つを選択する指標選択情報を取得してもよい。演算部３０は、例えば、操作部２３０から指標選択情報を取得してもよい。
【００６４】
抽出部４０は、身体特徴情報取得部１０が取得した第１身体特徴情報とスイング情報取得部２０が取得した第１スイング情報とに基づいて、他の使用者（使用者２００１とは異なる使用者）の身体特徴に関する情報である第２身体特徴情報、及び、他の使用者のスイングに関する情報である第２スイング情報が関連付けられた情報である他者情報を記憶する記憶装置３１０から、他者情報を抽出する。本実施形態においては、通信部２２０を介して情報提供サーバー３の記憶装置３１０から他者情報を抽出して取得する。
【００６５】
出力部５０は、抽出部４０が抽出した他者情報を出力する。出力部５０は、例えば、抽出部４０が抽出した他者情報を加工して表示部２７０に出力してもよい。
【００６６】
本実施形態によれば、使用者の身体特徴に関する情報である第１身体特徴情報と、使用者のスイングに関する情報である第１スイング情報とに基づいて他者情報を抽出するので、運動器具を（ゴルフクラブ２００２）スイングする動作の上達に役立つ情報を使用者２００１に提供できる情報提供装置２を実現できる。
【００６７】
抽出部４０は、第１身体特徴情報と第２身体特徴情報との類似度に基づいて、記憶装置３１０から他者情報を抽出してもよい。抽出部４０は、例えば、性別が一致するか否か、身長差が基準範囲内であるか否か、体重差が基準範囲内であるか否か、あるいはこれらのうち２つ以上の組み合わせに基づいて、使用者２００１の第１身体特徴情報と記憶装置３１０に記憶されている他者情報に含まれる第２身体特徴情報との類似度を判定してもよい。抽出部４０は、第１身体特徴情報との類似度が高い第２身体特徴情報を含む他者情報を優先して抽出してもよい。
【００６８】
本実施形態によれば、第１身体特徴情報と第２身体特徴情報との類似度に基づいて他者情報を抽出するので、例えば、使用者２００１の身体特徴に類似する他の使用者の情報を抽出できる。したがって、運動器具（ゴルフクラブ２００２）をスイングする動作の上達に役立つ情報を使用者２００１に提供できる情報提供装置２を実現できる。
【００６９】
抽出部４０では、演算部３０が取得した選択情報に基づいて、記憶装置３１０から他者情報を抽出してもよい。例えば、演算部３０が選択情報として、「スイング期間中のヘッド速度の最大値」の指標を選択する情報を取得した場合には、抽出部４０は、「スイング期間中のヘッド速度の最大値」が使用者２００１よりも所定割合だけ高い他者情報を優先して抽出してもよい。
【００７０】
本実施形態によれば、指標のうち少なくとも１つを選択する指標選択情報に基づいて他者情報を抽出するので、例えば、使用者２００１が注目したい指標に応じて情報を抽出できる。したがって、運動器具（ゴルフクラブ２００２）をスイングする動作の上達に役立つ情報を使用者２００１に提供できる情報提供装置２を実現できる。
【００７１】
技量情報取得部７０は、使用者２００１のスイングの技量に関する情報である第１技量情報を取得する。技量情報取得部７０は、例えば、操作部２３０から第１技量情報を取得してもよいし、ＲＡＭ２５０又は記憶媒体２６０から第１技量情報を取得してもよい。第１技量情報としては、例えば、ハンディキャップやコースでのスコアなど、スイングの技量の程度の目安のなる情報を採用できる。なお、本実施形態においては、記憶装置３１０が記憶する他者情報に、他の使用者のスイングの技量に関する情報である第２技量情報が、第２身体特徴情報及び第２スイング情報と関連付けられて含まれている。
【００７２】
抽出部４０は、技量情報取得部７０が取得した第１技量情報に基づいて、記憶装置３１０から他者情報を抽出してもよい。例えば、抽出部４０は、技量情報取得部７０が取得した第１技量情報よりも所定値だけ高い第２技量情報を含む他者情報を優先して抽出してもよい。また例えば、抽出部４０は、技量情報取得部７０が取得した第１技量情報よりも所定値だけ低い第２技量情報を含む他者情報を優先して抽出してもよい。また例えば、抽出部４０は、技量情報取得部７０が取得した第１技量情報から所定範囲内の第２技量情報を含む他者情報を優先して抽出してもよい。
【００７３】
本実施形態によれば、使用者２００１のスイングの技量に関する情報である第１技量情報に基づいて他者情報を抽出するので、例えば、使用者２００１のスイングの技量に近い他の使用者の情報を抽出できる。したがって、運動器具（ゴルフクラブ２００２）をスイングする動作の上達に役立つ情報を使用者２００１に提供できる情報提供装置２を実現できる。
【００７４】
運動器具情報取得部８０は、使用者２００１が使用した運動器具（ゴルフクラブ２００２）に関する情報である第１運動器具情報を取得する。運動器具情報取得部８０は、例えば、操作部２３０から第１運動器具情報を取得してもよいし、ＲＡＭ２５０又は記憶媒体２６０から運動器具情報を取得してもよい。第１運動器具情報としては、例えば、ゴルフクラブ２００２の番手やメーカー、型番などを採用できる。なお、本実施形態においては、記憶装置３１０が記憶する他者情報に、他の使用者が使用した運動器具に関する情報である第２運動器具情報が、第２身体特徴情報及び第２スイング情報と関連付けられて含まれている。
【００７５】
抽出部４０は、運動器具情報取得部８０が取得した第１運動器具情報に基づいて、記憶装置３１０から他者情報を抽出してもよい。例えば、抽出部４０は、第１運動器具情報としてのクラブの番手が一致する第２運動器具情報を含む他者情報を優先して抽出してもよい。また例えば、抽出部４０は、第１運動器具情報としてのクラブの番手及びメーカーが一致する第２運動器具情報を含む他者情報を優先して抽出してもよい。
【００７６】
本実施形態によれば、使用者が使用した運動器具（ゴルフクラブ２００２）に関する情
報である第１運動器具情報に基づいて他者情報を抽出するので、例えば、運動器具（ゴルフクラブ２００２）に応じた情報を抽出できる。したがって、運動器具（ゴルフクラブ２００２）をスイングする動作の上達に役立つ情報を使用者２００１に提供できる情報提供装置２を実現できる。
【００７７】
また、本実施形態に係る情報提供プログラムによれば、使用者の身体特徴に関する情報である第１身体特徴情報と、使用者のスイングに関する情報である第１スイング情報とに基づいて他者情報を抽出するので、運動器具（ゴルフクラブ２００２）をスイングする動作の上達に役立つ情報を使用者２００１に提供できる情報提供プログラムを実現できる。
【００７８】
また、本実施形態に係る情報提供システム１０００よれば、使用者の身体特徴に関する情報である第１身体特徴情報と、使用者のスイングに関する情報である第１スイング情報とに基づいて他者情報を抽出する情報提供装置２を含んでいるので、運動器具（ゴルフクラブ２００２）をスイングする動作の上達に役立つ情報を使用者２００１に提供できる情報提供システム１０００を実現できる。
【００７９】
２．情報提供方法
図４は、本実施形態に係る情報提供方法の概要を示すフローチャートである。なお、図４に示される工程の全てが必須の構成であるとは限らない。図５は、記憶装置３１０に格納される他者情報の例を示す表である。図５において、「ヘッド速度」の項目は、スイング期間中のヘッド速度の最大値を表し、「グリップ速度」の項目は、スイング期間中のグリップ速度の最大値を表し、「グリップ減速タイミング」の項目は、インパクトのタイミングを基準としたグリップ速度が最大値を取るタイミングを表し、「シャフトローテーション」の項目は、スイング期間中のシャフト軸の回転角の変化量を表す。また、図５に示される例では、他者情報に含まれる指標を算出する基礎となる第２スイング情報を生成した際に、当該使用者のスイング動作を撮影した動画データが含まれている。以下では、本実施形態に係る情報提供方法を、上述の情報提供システム１０００を用いて実施する場合の例について説明する。
【００８０】
本実施形態に係る情報提供方法は、身体特徴情報取得工程（ステップＳ１００）と、スイング情報取得工程（ステップＳ１０８）と、抽出工程（ステップＳ１１２）と、出力工程（ステップＳ１１４）と、を含んで構成されている。また、本実施形態に係る情報提供方法は、技量情報取得工程（ステップＳ１０２）と、運動器具情報取得工程（ステップＳ１０４）と、指標選択情報取得工程（ステップＳ１０６）と、をさらに含んで構成されていてもよい。
【００８１】
図４に示される例では、まず、使用者２００１の身体特徴に関する情報である第１身体特徴情報を取得する身体特徴情報取得工程（ステップＳ１００）を行う。本実施形態においては、身体特徴情報取得部１０がステップＳ１００の処理を行う。また、本実施形態においては、第１身体特徴情報として、使用者２００１の性別、身長及び体重に関する情報を取得する。
【００８２】
図４に示される例では、ステップＳ１００の後に、使用者２００１のスイングの技量に関する情報である第１技量情報を取得する技量情報取得工程（ステップＳ１０２）を行う。本実施形態においては、技量情報取得部７０がステップＳ１０２の処理を行う。また、本実施形態においては、第１技量情報として、使用者２００１のハンディキャップに関する情報を取得する。
【００８３】
図４に示される例では、ステップＳ１０２の後に、使用者２００１が使用した運動器具（ゴルフクラブ２００２）に関する情報である第１運動器具情報を取得する運動器具情報
取得工程（ステップＳ１０４）を行う。本実施形態においては、運動器具情報取得部８０がステップＳ１０４の処理を行う。また、本実施形態においては、第１運動器具情報として、ゴルフクラブ２００２の番手及びメーカーに関する情報を取得する。
【００８４】
図４に示される例では、ステップＳ１０４の後に、演算工程（ステップＳ１１０）で算出される複数種類の指標のうち少なくとも１つを選択する指標選択情報を取得する指標選択情報取得工程（ステップＳ１０６）を行う。本実施形態においては、演算部３０がステップＳ１０６の処理を行う。また、本実施形態においては、指標選択情報として、例えば「スイング期間中のヘッド速度の最大値」に関する情報を取得する。
【００８５】
図４に示される例では、ステップＳ１０６の後に、使用者２００１が運動器具（ゴルフクラブ２００２）をスイングする動作を検出する検出装置１から、使用者２００１のスイングに関する情報である第１スイング情報を取得するスイング情報取得工程（ステップＳ１０８）を行う。本実施形態においては、スイング情報取得部２０がステップＳ１０８の処理を行う。また、本実施形態においては、第１スイング情報として、加速度センサー１１１及び角速度センサー１１２の検出結果に基づく情報を取得する。
【００８６】
図４に示される例では、ステップＳ１０８の後に、ステップＳ１０８で取得した第１スイング情報に基づいて、使用者２００１のスイングに関する指標を演算する演算工程（ステップＳ１１０）を行う。本実施形態においては、演算部３０がステップＳ１１０の処理を行う。また、本実施形態においては、スイングに関する指標として、スイング期間中のヘッド速度の最大値、スイング期間中のグリップ速度の最大値、インパクトのタイミングを基準としたグリップ速度が最大値を取るタイミング（グリップ減速タイミング）及びスイング期間中のシャフト軸の回転角の変化量（シャフトローテーション）の４つの指標を算出する。
【００８７】
本実施形態によれば、使用者２００１のスイングに関する指標を、使用者２００１に提供できる。したがって、運動器具（ゴルフクラブ２００２）をスイングする動作の上達に役立つ情報を使用者２００１に提供できる情報提供方法を実現できる。
【００８８】
図４に示される例では、ステップＳ１１０の後に、他の使用者の身体特徴に関する情報である第２身体特徴情報、及び、他の使用者のスイングに関する情報である第２スイング情報が関連付けられた他者情報を記憶する記憶装置３１０から、ステップＳ１００で取得された第１身体特徴情報とステップＳ１０８で取得された第１スイング情報とに基づいて、記憶装置３１０から他者情報を抽出する抽出工程（ステップＳ１１２）を行う。本実施形態においては、抽出部４０がステップＳ１１２の処理を行う。抽出部４０は、図５に示される他者情報から１つ又は複数のデータを抽出してもよい。
【００８９】
図４に示される例では、ステップＳ１１２の後に、ステップＳ１１２で抽出された他者情報を出力する出力工程（ステップＳ１１４）を行う。本実施形態においては、出力部５０がステップＳ１１４の処理を行う。また、本実施形態においては、出力部５０は抽出された他者情報を表示部２７０に表示させる。また、出力部５０は、演算工程（ステップＳ１１０）で算出された指標と、抽出工程（ステップＳ１１２）で抽出された他者情報の指標とを組み合わせて出力してもよい。また、他者情報に動画データが含まれている場合には、出力部５０は動画データを再生して表示させてもよい。
【００９０】
図６は、抽出された他者情報の表示例を示す図である。図６に示されるレーダーチャートおいて、「ヘッド速度」の項目は、スイング期間中のヘッド速度の最大値を表し、「グリップ速度」の項目は、スイング期間中のグリップ速度の最大値を表し、「グリップ減速タイミング」の項目は、インパクトのタイミングを基準としたグリップ速度が最大値を取
るタイミングを表し、「シャフトローテーション」の項目は、スイング期間中のシャフト軸の回転角の変化量を表す。また、図６に示される例では、演算工程（ステップＳ１１０）で算出された指標が実線で示され、抽出工程（ステップＳ１１２）で抽出された他者情報の指標が点線で示されている。
【００９１】
本実施形態によれば、使用者の身体特徴に関する情報である第１身体特徴情報と、使用者のスイングに関する情報である第１スイング情報とに基づいて他者情報を抽出するので、運動器具を（ゴルフクラブ２００２）スイングする動作の上達に役立つ情報を使用者２００１に提供できる情報提供方法を実現できる。
【００９２】
上述の情報提供方法において、抽出工程（ステップＳ１１２）では、第１身体特徴情報と第２身体特徴情報との類似度に基づいて、他者情報を抽出してもよい。例えば、性別が一致するか否か、身長差が基準範囲内であるか否か、体重差が基準範囲内であるか否か、あるいはこれらのうち２つ以上の組み合わせに基づいて、使用者２００１の第１身体特徴情報と記憶装置３１０に記憶されている他者情報に含まれる第２身体特徴情報との類似度を判定してもよい。また例えば、第１身体特徴情報との類似度が高い第２身体特徴情報を含む他者情報を優先して抽出してもよい。
【００９３】
本実施形態によれば、第１身体特徴情報と第２身体特徴情報との類似度に基づいて他者情報を抽出するので、例えば、使用者２００１の身体特徴に類似する他の使用者の情報を抽出できる。したがって、運動器具（ゴルフクラブ２００２）をスイングする動作の上達に役立つ情報を使用者２００１に提供できる情報提供方法を実現できる。
【００９４】
上述の情報提供方法において、抽出工程（ステップＳ１１２）では、指標選択情報取得工程（ステップＳ１０６）で取得された選択情報に基づいて、記憶装置３１０から他者情報を抽出してもよい。例えば、指標選択情報取得工程（ステップＳ１０６）において、選択情報として「スイング期間中のヘッド速度の最大値」の指標を選択する情報を取得した場合には、抽出工程（ステップＳ１１２）では「スイング期間中のヘッド速度の最大値」が使用者２００１よりも所定割合だけ高い他者情報を優先して抽出してもよい。
【００９５】
本実施形態によれば、指標のうち少なくとも１つを選択する指標選択情報に基づいて他者情報を抽出するので、例えば、使用者２００１が注目したい指標に応じて情報を抽出できる。したがって、運動器具（ゴルフクラブ２００２）をスイングする動作の上達に役立つ情報を使用者２００１に提供できる情報提供方法を実現できる。
【００９６】
上述の情報提供方法において、抽出工程（ステップＳ１１２）では、技量情報取得工程（ステップＳ１０２）で取得された第１技量情報に基づいて、記憶装置３１０から他者情報を抽出してもよい。例えば、抽出工程（ステップＳ１１２）では、技量情報取得工程（ステップＳ１０２）で取得された第１技量情報よりも所定値だけ高い第２技量情報を含む他者情報を優先して抽出してもよい。また例えば、抽出工程（ステップＳ１１２）では、技量情報取得工程（ステップＳ１０２）で取得された第１技量情報よりも所定値だけ低い第２技量情報を含む他者情報を優先して抽出してもよい。また例えば、抽出工程（ステップＳ１１２）では、技量情報取得工程（ステップＳ１０２）で取得された第１技量情報から所定範囲内の第２技量情報を含む他者情報を優先して抽出してもよい。
【００９７】
本実施形態によれば、使用者２００１のスイングの技量に関する情報である第１技量情報に基づいて他者情報を抽出するので、例えば、使用者２００１のスイングの技量に近い他の使用者の情報を抽出できる。したがって、運動器具（ゴルフクラブ２００２）をスイングする動作の上達に役立つ情報を使用者２００１に提供できる情報提供方法を実現できる。
【００９８】
上述の情報提供方法において、抽出工程（ステップＳ１１２）では、運動器具情報取得工程（ステップＳ１０４）で取得された第１運動器具情報に基づいて、記憶装置３１０から他者情報を抽出してもよい。例えば、抽出工程（ステップＳ１１２）では、第１運動器具情報としてのクラブの番手が一致する第２運動器具情報を含む他者情報を優先して抽出してもよい。また例えば、抽出工程（ステップＳ１１２）では、第１運動器具情報としてのクラブの番手及びメーカーが一致する第２運動器具情報を含む他者情報を優先して抽出してもよい。
【００９９】
本実施形態によれば、使用者が使用した運動器具（ゴルフクラブ２００２）に関する情報である第１運動器具情報に基づいて他者情報を抽出するので、例えば、運動器具（ゴルフクラブ２００２）に応じた情報を抽出できる。したがって、運動器具（ゴルフクラブ２００２）をスイングする動作の上達に役立つ情報を使用者２００１に提供できる情報提供方法を実現できる。
【０１００】
なお、図４に示されるフローにおいて、抽出工程（ステップＳ１１２）は出力工程（ステップＳ１１４）よりも前に行われていればよい。また、スイング情報取得工程（ステップＳ１０８）は演算工程（ステップＳ１１０）よりも前に行われていればよい。また、身体特徴情報取得工程（ステップＳ１００）、技量情報取得工程（ステップＳ１０２）、運動器具情報取得工程（ステップＳ１０４）及び指標選択情報取得工程（ステップＳ１０６）は、抽出工程（ステップＳ１１２）よりも前に行われていればよい。図４に示される各工程は、上述の要件を満たす範囲で、他の工程との順序を任意に入れ替えることが可能である。
【０１０１】
上述した実施形態及び変形例は一例であって、これらに限定されるわけではない。例えば、各実施形態及び各変形例を適宜組み合わせることも可能である。
【０１０２】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１０３】
１…検出装置、２…情報提供装置、３…情報提供サーバー、１０…身体特徴情報取得部、２０…スイング情報取得部、３０…演算部、４０…抽出部、５０…出力部、７０…技量情報取得部、８０…運動器具情報取得部、１１０…検出部、１１１…加速度センサー、１１２…角速度センサー、１３０…通信部、２００…処理部、２１０，２２０…通信部、２３０…操作部、２４０…ＲＯＭ、２５０…ＲＡＭ、２６０…記憶媒体、２７０…表示部、２８０…音出力部、３１０…記憶装置、３２０…処理部、３３０…通信部、１０００…情報提供システム、２００１…使用者、２００２…ゴルフクラブ、２００３…ゴルフボール
【図１】
2015188609.tif 000003
【図２】
2015188609.tif 000004
【図３】
2015188609.tif 000005
【図４】
2015188609.tif 000006
【図５】
2015188609.tif 000007
【図６】
2015188609.tif 000008